(57)【特許請求の範囲】
【請求項１】
内部に所要の空間が形成された間仕切体を固定支持可能な上下方向に延びる複数の立設フレームと、該複数の立設フレーム間に介在する複数のパネルとを用いて、上下方向に延びる筒状空間を備える環状筒体が形成されるとともに、前記環状筒体を構成する立設フレームまたはパネルの少なくともいずれかには、上下方向に延びる前記筒状空間と外部とを連絡する導通口が、前記間仕切体の内部に貫通する孔と連通する位置に設けられていることを特徴とする区画形成用支柱。
【請求項２】
前記環状筒体の上部側には、上下方向に延びる前記筒状空間に連通する開口が形成されていることを特徴とする請求項１に記載の区画形成用支柱。
【請求項３】
前記パネルは、前記立設フレームに対して着脱または開閉可能に取付けられていることを特徴とする請求項１または２に記載の区画形成用支柱。
【請求項４】
前記複数の立設フレームは、連結部材により一体に連結されていることを特徴とする請求項１ないし３のいずれかに記載の区画形成用支柱。
【請求項５】
前記連結部材は、前記各立設フレームの下方端部に固定されていることを特徴とする請求項４に記載の区画形成用支柱。
【発明の詳細な説明】
【技術分野】
【０００１】
本発明は、建物内の部屋や空間を仕切り、複数の機能性の富んだ区画を利用できるようにする区画形成用支柱に関する。
【背景技術】
【０００２】
建物内の部屋や空間を仕切り、複数の機能性の富んだ独立性の高い執務区画を設ける場合、部屋の床面にパーティションを立設して空間を複数の区画に分割している。特に近年において、既存の病院やクリニックにおいても、プライバシーの問題などから病室や治療ゾーンを複数の機能性の富んだ独立性の高い区画に改修したいという要求がある。
【０００３】
しかし既存の病院やクリニックにおいては、既に治療に用いる数種類の医療ガス用の配管や配線等が天井裏や壁内に配置されており、たとえ部屋や空間が十分に広くても、配管や配線の関係から複数の機能性の富んだ独立性の高い区画に仕切り直すには制約がある。
【０００４】
そこでプライバシーの問題などから病室や治療ゾーンを複数の機能性の富んだ独立性の高い区画に改修する例として、治療に用いる医療ガス用の配管のアウトレットが壁に配置されているような場合に、壁面のパーティションにアウトレット用の開口を設けるとともに、隣の区画に配管を延ばすためにパーティションに開口を形成し、配管の取り回しなどの改善しているものがある（例えば、特許文献１）。
【先行技術文献】
【特許文献】
【０００５】
【特許文献１】特許第４６５５７７５号公報（第６頁、第７図）
【発明の概要】
【発明が解決しようとする課題】
【０００６】
しかしながら、特許文献１に示される技術を利用しても、配管の損傷防止や配管取り回しの観点から、壁面に片寄った区画のパーティション配置にならざるを得ず、依然として間仕切りの配置位置が制約され、区画のレイアウトの設計自由度が低いものとなってしまう。また特許文献１に示される技術を利用した場合、配管などの露出が大きくなり美観が損なわれることになる。
【０００７】
本発明は、このような問題点に着目してなされたもので、配線、配管等の取り回し作業を向上できるばかりでなく、配線、配管等の露出を可能な限り少なくでき、且つ区画レイアウトの設計自由度を高めることのできる区画形成用支柱を提供することを目的とする。
【課題を解決するための手段】
【０００８】
前記課題を解決するために、本発明の区画形成用支柱は、
内部に所要の空間が形成された間仕切体を固定支持可能な上下方向に延びる複数の立設フレームと、該複数の立設フレーム間に介在する複数のパネルとを用いて、上下方向に延びる筒状空間を備える環状筒体が形成されるとともに、前記環状筒体を構成する立設フレームまたはパネルの少なくともいずれかには、上下方向に延びる前記筒状空間と外部とを連絡する導通口が、前記間仕切体の内部に貫通する孔と連通する位置に設けられていることを特徴としている。
この特徴によれば、人目に付きにくく往来の邪魔にならない天井側もしくは床側から、上下方向に延びて形成された筒状空間に配線や配管等を導入し、導通口を介したアウトレットから各区画内にガスや電気などを供給できることになり、配管等の取り回しが良くなるばかりか、配管等の露出が少なく損傷を防止できる。さらに、天井側もしくは床側から区画形成用支柱の筒状空間に配線や配管等を導入できるようになっているため、室内空間における区画形成用支柱の任意の配置が可能となり、区画レイアウトの設計自由度が高まる。
【０００９】
前記環状筒体の上部側には、上下方向に延びる前記筒状空間に連通する開口が形成されていることを特徴としている。
この特徴によれば、天井側から区画形成用支柱の筒状空間に配線や配管等を導入できるようになり、床に加工を施すことなく空間内における区画形成用支柱の配置が可能となる。
【００１０】
前記パネルは、前記立設フレームに対して着脱または開閉可能に取付けられていることを特徴としている。
この特徴によれば、パネルを取外すまたは開いて隣接する立設フレーム同士の間を開放することにより、隣接する立設フレーム同士の間から区画形成用支柱の筒状空間にアクセスできるため、配線、配管等の施工やメンテナンスが容易となる。
【００１１】
前記複数の立設フレームは、連結部材により一体に連結されていることを特徴としている。
この特徴によれば、連結部材により各立設フレーム同士が連結されているため、区画形成用支柱の形状が安定して保たれる。
【００１２】
前記連結部材は、前記各立設フレームの下方端部に固定されていることを特徴としている。
この特徴によれば、区画形成用支柱の内部の筒状空間を支柱上方に広く確保できることになる。
【図面の簡単な説明】
【００１３】
【図１】実施例における間仕切装置の構造を示す斜視図である。
【図２】間仕切装置の構造を示す分解斜視図である。
【図３】区画形成用支柱の下部を示す斜視図ある。
【図４】区画形成用支柱の内部構造を示す上面断面図である。
【図５】立設フレームとパネルとの接続構造を示す図４の要部拡大図である。
【図６】（ａ）は、区画形成用支柱の変形例１を示す上面断面図であり、（ｂ）は、区画形成用支柱の変形例２を示す上面断面図である。
【図７】区画形成用支柱（変形例３）を用いた間仕切装置を示す斜視図である。
【図８】図６の区画形成用支柱を示す上面断面図である。
【発明を実施するための形態】
【００１４】
本発明に係る区画形成用支柱を実施するための形態を実施例に基づいて以下に説明する。
【実施例１】
【００１５】
実施例に係る区画形成用支柱につき、図１から図８を参照して説明する。
【００１６】
図１に示されるように、間仕切装置２は、主に医療施設等で使用され、室内空間を複数の区画Ｓ１〜Ｓ４に形成するものである。この間仕切装置２は、床面と天井面との間に亘って上下方向に延設される区画形成用支柱１と、該区画形成用支柱１に連設された複数の間仕切体３，３，…と、によって主に構成されており、区画形成用支柱１を基点として区画Ｓ１〜Ｓ４が形成されている。この区画Ｓ１〜Ｓ４は、例えば抗がん剤等を用いて癌を治療する化学療法用等のブースとして使用される。尚、区画Ｓ１〜Ｓ４の構成はほぼ同一であることから、図１の手前右側の区画Ｓ１を例に取り説明し、該区画Ｓ１以外の説明を以下省略する。
【００１７】
区画Ｓ１は、区画形成用支柱１から直交して延びる２つの間仕切体３，３と、間仕切体３，３の自由端部から互いに近づくように直交して延びる間仕切体３’，３’とにより形成されている。間仕切体３’，３’は、間仕切体３，３よりも延設方向に短くなっていることから、間仕切体３’，３’の間が区画Ｓ１の出入口となっている。また、区画Ｓ１の中央部にはリクライニングチェア４が配置されており、リクライニングチェア４の回転やリクライニングができる程度のスペースが確保されている。
【００１８】
区画Ｓ１の内壁面には、治療に用いられる医療ガスの取出口であるアウトレット５が配設されており、アウトレット５を介して各種治療を行うことができるようになっている。さらに、区画Ｓ１の内壁面には、電源コンセント口６，６（図２参照）、ナースコールユニット７、棚板８，８が配設されている。尚、本実施例では、アウトレット５、１つの電源コンセント口６、ナースコールユニット７が、区画Ｓ１の内壁の一部を構成する後述の各化粧パネル１０，１０，…のうち、適宜選択された化粧パネル１０，１０，１０に配設されており、もう１つの電源コンセント口６が、区画Ｓ１の内壁の一部を構成する区画形成用支柱１のパネル２１における分割体２１Ｃに取付けられている態様について説明するが、これらアウトレット５、電源コンセント口６，６、ナースコールユニット７、棚板８，８等の各種装置は、区画Ｓ１の内壁面の任意の位置に配置してもよい。
【００１９】
次に、間仕切体３の構造について説明する。尚、間仕切体３の構造はほぼ同一であることから、図２の区画形成用支柱１に対して画面手前右側に取付けられた間仕切体３について説明し、それ以外の間仕切体３及び間仕切体３’の構造の説明を省略する。図２に示されるように、間仕切体３は、枠体９と，枠体９の内面及び外面側に夫々取付けられる複数の化粧パネル１０，１０，…と、から主に構成されており、間仕切体３の内部には所要の空間が形成されている。枠体９は、上下に延びる間仕切支柱１１，１１と、間仕切支柱１１，１１の上下端同士を繋ぐ上部連結部材１２及び下部連結部材１３と、上部連結部材１２及び下部連結部材１３の中間に配設される中部連結部材１４と、から形成される。間仕切支柱１１，１１の適所には、間仕切体３の内部に連通する孔１５，１５が形成されている。
【００２０】
図１及び図２に示されるように、区画形成用支柱１は、環状筒体に形成され、内部に中空の筒状空間Ｔを有しており、且つ区画形成用支柱１の上端には、筒状空間Ｔに連通する開口１６（図１のみ図示）が形成されている。前記医療ガス用の複数の配管１７，１７，…や各種電源用の配線１８，１８，…は、開口１６を介して天井面から筒状空間Ｔに導入されている。これによれば、配管１７，１７，…や配線１８，１８，…等を、人目に付きにくく往来の邪魔にならない天井面から筒状空間Ｔ内に外部に露出させることなく導入できるため、見栄えが良く、且つ配管１７，１７，…や配線１８，１８，…等の損傷を防ぐことができる。さらに、床面に配管１７，１７，…及び配線１８，１８，…するための加工を施す必要が無く、室内空間の自由な位置に区画形成用支柱１を配置することが可能となっている。
【００２１】
また、区画形成用支柱１は、接続された間仕切体３，３の間仕切支柱１１，１１の孔１５，１５にそれぞれ連通する導通口１９，１９を有しており、導通口１９，１９を介して筒状空間Ｔに導入した配管１７，１７，…及び配線１８，１８，…を間仕切体３，３の内部に導通させることができる。これら間仕切体３の内部に導通された配管１７，１７，…は、前述したアウトレット５に接続されるとともに、配線１８，１８は、電源コンセント口６及びナースコールユニット７に接続される。またパネル２１における分割体２１Ｃの電源コンセント口６には、区画形成用支柱１の筒状空間Ｔから直接配線１８が接続されている。これによれば、アウトレット５や電源コンセント口６，６等から各区画内にガスや電気などを供給でき、配管１７，１７，…や配線１８，１８，…等の取り回しが良い。
【００２２】
図３に示されるように、区画形成用支柱１は、床面と天井面とに渡って上下方向に延び、所定間隔離間して配置される４本の立設フレーム２０，２０，…と、隣接する立設フレーム２０，２０，…同士の間を閉塞するように配置される４枚のパネル２１，２１，…と、から主に構成されている。
【００２３】
立設フレーム２０は、金属などの剛性を有する部材により形成されており、立設フレーム２０は、離間した２つの管状体２２，２２と、管状体２２，２２の間を繋ぐ板状体２３とからなり、板状体２３に前記導通口１９が形成されている。また、立設フレーム２０には、外面側が平坦な面に形成されたフレームカバー２４が取付けられており、このフレームカバー２４には、立設フレーム２０の導通口１９と対応する位置に貫通口２５が形成されている。
【００２４】
４本の立設フレーム２０，２０，…の下方端部は、直交して固定された２本の第１連結部材２９及び第２連結部材３０により一体的に連結されている。これにより、区画形成用支柱１の形状が安定して保たれる。また、この第１連結部材２９及び第２連結部材３０は、各立設フレーム２０，２０，…の下方端部同士を一体的に連結しているため、区画形成用支柱１の内部の筒状空間Ｔを上方に広く確保できることになる。
【００２５】
また、この第１連結部材２９は、側壁部２９ａ，２９ａと底壁部２９ｂとを備え、第２連結部材３０は、側壁部３０ａ，３０ａと底壁部３０ｂとを備えており、共に断面視略上向きコ字状を成している。第１連結部材２９は、その両側壁部２９ａ，２９ａの長手方向略中央部に、第２連結部材３０を直交させた状態で嵌合可能な切欠部２９ｃ，２９ｃが切り欠かれて形成されている。また、第２連結部材３０は、その底壁部３０ｂの下面側の長手方向略中央部に、第１連結部材２９の底壁部２９ｂを嵌合できる段部３０ｃが形成されている。第１連結部材２９の切欠部２９ｃに第２連結部材３０を直交させた状態で嵌合させるとともに、第２連結部材３０の段部３０ｃに第１連結部材２９の底壁部２９ｂを嵌合させることにより第１連結部材２９及び第２連結部材３０の下端面同士が面一となっている。この面一となった第１連結部材２９及び第２連結部材３０の下端面同士を床面に当接させてボルト等により固定することにより、各立設フレーム２０，２０，…の転倒を防止できる。
【００２６】
また、図４に示されるように、各立設フレーム２０の筒状空間Ｔ側には、バネクリップ取付下地２６がボルト２７，２７等で上下方向に複数個取付けられている。更に各バネクリップ取付下地２６の筒状空間Ｔ側にはバネクリップ２８がボルト２７，２７等によって固定されており、バネクリップ２８の両端部２８ａ，２８ａは立設フレーム２０の両側近傍に配置されている。
【００２７】
図１及び図２に示されているように、パネル２１は、分割体２１Ａ，２１Ｂ，２１Ｃとから構成されている。図３及び図４に示されるように、分割体２１Ａ，２１Ｂ，２１Ｃは、区画Ｓ１側に面する垂直面部２１ａと、垂直面部２１ａの両端が筒状空間Ｔ側に折り曲げられた屈曲部２１ｂ，２１ｂと、を備えるように折り曲げられた鋼板が、上下に３分割されることにより形成されている。分割体２１Ａ，２１Ｂ，２１Ｃは、各屈曲部２１ｂ，２１ｂ，…が各立設フレーム２０，２０，…と各バネクリップ２８，２８，…の各端部２８ａ，２８ａ，…との間に挟持されることにより、各立設フレーム２０，２０，…の間に着脱可能に配設されている。このように、分割体２１Ａ，２１Ｂ，２１Ｃは、立設フレーム２０に対して着脱可能となっていることから、隣接する立設フレーム２０，２０同士の間を開放することができるようになっているため、その分割体２１Ａ，２１Ｂ，２１Ｃを取外した隣接する立設フレーム２０，２０，…同士の間から区画形成用支柱１の筒状空間Ｔにアクセス可能となり、配管１７，１７，…及び配線１８，１８，…等の施工やメンテナンスが容易となる。
【００２８】
また、パネル２１は、分割体２１Ａ，２１Ｂ，２１Ｃに分割されているため、各立設フレーム２０，２０，…の間に対する着脱を容易に行える。尚、本実施例では、分割体２１Ｃに電源コンセント口６が設けられている態様について説明しているが、アウトレット５を設けた分割体やナースコールユニット７を設けた分割体等を用意すれば、それら分割体の組み合わせにより自由に各種装置を区画内に配設できる。更に、パネル２１は３つの分割体２１Ａ，２１Ｂ，２１Ｃにより構成されるものに限られず、１つの部材から形成されてもよいし、２分割または４分割以上の複数に分割されてもよい。
【００２９】
さらに、隣接する立設フレーム２０，２０，…同士の各間には、Ｌ字板材３１，３１，…が天井面及び床面にそれぞれ固定されており、前記Ｌ字板材３１，３１，…の各垂直片３１ａ，３１ａ，…に対して、各パネル２１の上部に配される各分割体２１Ａと、各パネル２１の下部に配される分割体２１Ｃとの垂直面部２１ａ，２１ａ，…の内面が当接することにより各パネル２１，２１，…の過挿入が防止されている。尚、図示しないが、Ｌ字板材３１の垂直片３１ａに対して各垂直面部２１ａをボルト等で固定してもよいし、垂直面部２１ａにフック状の係止部を設け、且つＬ字板材３１の垂直片３１ａに被係止部を設けて係合させてもよい。
【００３０】
図５に示されるように、屈曲部２１ｂには、折返し部２１ｃが形成されており、この折返し部２１ｃはバネクリップ２８の両端部２８ａ，２８ａに係止されるようになっている。これにより、パネル２１（各分割体２１Ａ，２１Ｂ，２１Ｃ）は、その垂直面部２１ａに直交する方向への力に対して外れにくい構造となっている。また、パネル２１を一方の立設フレーム２０側に寄せることにより、バネクリップ２８の一方側の端部２８ａが弾性変形するため、パネル２１を立設フレーム２０から容易に取外すことができる。
【００３１】
また、図４に示されるように、パネル２１は、その垂直面部２１ａが区画Ｓ１内側に面しており、この垂直面部２１ａは、立設フレーム２０，２０同士の間を直線的に接続しているため、パネル２１の区画Ｓ１側への張り出しを抑えて区画Ｓ１内の空間を大きくとることができるようになっている。
【００３２】
また、パネル２１の横幅は、立設フレーム２０の横幅よりも大きくなっている。そのため、区画形成用支柱１の全体的な大きさに対して比較的大きな幅で立設フレーム２０，２０を離間させることができ、配管１７，１７，…及び配線１８，１８，…等の施工やメンテナンスが更に容易となる。
【００３３】
また、立設フレーム２０の外面側に取付けられたフレームカバー２４の外面から延びる仮想線αと、パネル２１の垂直面部２１ａの外面から延びる仮想線βとで成す角度θが鈍角となっている。そのため、区画形成用支柱１の全体的な大きさに対して比較的大きな筒状空間Ｔを形成することができる。
【００３４】
尚、上記実施例では立設フレーム２０，２０，…の下方端部が第１連結部材２９及び第２連結部材３０により一体的に連結されている態様について説明したが、第１連結部材２９及び第２連結部材３０は各立設フレーム２０，２０，…を上下方向いずれの位置で連結してもよい。また、立設フレーム２０，２０，…を特段の連結部材により連結しなくてもよく、例えば、立設フレーム２０，２０，…に取付けた間仕切体３，３，…を区画形成用支柱１の支えとして機能させてもよい。
【００３５】
また、例えば、図６（ａ）に示されるように、３本の立設フレーム２０，２０，２０と、３枚のパネル２１，２１，２１とにより、区画形成用支柱１００を形成してもよい。これによれば、例えば区画形成用支柱１００を室内空間の壁際に寄せて配置できる。図６（ｂ）に示されるように、２本の立設フレーム２０，２０と、１枚のパネル２１及び上面断面視Ｌ字形状のパネル２１’とにより区画形成用支柱１１０を形成してもよい。これによれば、例えば区画形成用支柱１１０を室内空間の角部に寄せて配置できる。
【００３６】
尚、区画形成用支柱の変形例として、例えば次のようなものがある。図７に示されるように、間仕切装置２００は、離間して配置された２つの区画形成用支柱１２０，１２０を備えており、区画形成用支柱１２０，１２０は、間仕切体３００，３００，３００により直線状に連設されている。これにより、区画形成用支柱１２０，１２０と間仕切体３００，３００，３００とを境界線として、その両側に複数の区画Ｓ５，Ｓ５，…を形成できるようになっている。
【００３７】
図８に示されるように、間仕切体３００は、断面視矩形状のフレーム支柱４０，４０に化粧パネル５０，５０を取付けて構成されている。また、区画形成用支柱１２０は、間仕切体３００用のフレーム支柱４０，４０，４０，４０と、化粧パネル５０，５０，５０，５０と、を用いて上下に延びる環状筒体に構成されている。フレーム支柱４０，４０同士は、図示しない接続具により接続されている。これによれば、区画形成用支柱１２０は、間仕切体３００用のフレーム支柱４０，４０，４０，４０と、化粧パネル５０，５０，５０，５０と、を兼用して構成されるため、専用の立設フレーム及びパネルを用意しなくてよく、製造コストを抑えることができる。尚、フレーム支柱４０，４０同士は、互いに接続できる手段（例えばフックと係止孔等）を有していてもよい。
【００３８】
以上、本発明の実施例を図面により説明してきたが、具体的な構成はこれら実施例に限られるものではなく、本発明の要旨を逸脱しない範囲における変更や追加があっても本発明に含まれる。
【００３９】
例えば、前記実施例では、天井面から区画形成用支柱１の筒状空間Ｔの内に配管１７，１７，…や配線１８，１８，…等を取り込む態様についてのみ説明したが、床面側から配管１７，１７，…や配線１８，１８，…等が導入されていてもよい。
【００４０】
また、前記実施例では、第１連結部材２９と第２連結部材３０によって立設フレーム２０，２０，…が一体に接続されていたが、これに限られず、区画形成用支柱１に形成された筒状空間Ｔの内側に沿って設けられた連結部材を、各立設フレーム２０，２０，…の内側にボルト等で取付けるようにして連結してもよい。
【００４１】
また、パネル２１は、立設フレーム２０に対してヒンジ等により開閉可能に取付けられてもよい。
【００４２】
また、区画形成用支柱１の筒状空間Ｔに通される部材として、配管１７及び配線１８について説明したが、配索（ケーブル）等の部材であってもよく、要するに、線状の部材が筒状空間Ｔを通され、導通口１９を介して区画Ｓ１〜Ｓ５に接続されるものであればよい。
【００４３】
また、アウトレット５及びナースコール７についても、電源コンセント口６と同様に、パネル２１に設けた導通口１９を介して接続し化粧パネル５０に設けてもよい。
【符号の説明】
【００４４】
１                区画形成用支柱
２                間仕切装置
３                間仕切体
５                アウトレット
６                電源コンセント口
７                ナースコールユニット
１６              開口
１７              配管
１８              配線
１９              導通口
２０              立設フレーム
２１              パネル
２９              第１連結部材（連結部材）
３０              第２連結部材（連結部材）
４０              フレーム支柱（立設フレーム）
５０              化粧パネル（パネル）
１００            区画形成用支柱
１１０            区画形成用支柱
１２０            区画形成用支柱
２００            間仕切装置
３００            間仕切体
Ｓ１〜Ｓ５        区画
Ｔ                筒状空間
【図１】
0006499418.tif 000002
【図２】
0006499418.tif 000003
【図３】
0006499418.tif 000004
【図４】
0006499418.tif 000005
【図５】
0006499418.tif 000006
【図６】
0006499418.tif 000007
【図７】
0006499418.tif 000008
【図８】
0006499418.tif 000009